(57)【要約】【課題】収納凹部の深さを大きくして収納容量を確保しつつ、側壁を薄くすることができる形状を備える収納ボックスを提供する。【解決手段】底板２と、対向する少なくとも一対の側壁３とで構成される収納凹部４を備え、車両内に設けられる収納ボックス１である。各側壁３は、底板２の外縁部に一体に形成される内壁部３Ａと、内壁部３Ａの上端に一体に形成され、内壁部３Ａの外側を覆う外壁部３Ｂとを備える。この収納ボックス１は、一方の内壁部３Ａと底板２とに一体に形成される一側段部４１と、他方の内壁部３Ａと底板２とに一体に形成され、一側段部４１と同一高さを有する他側段部４２とを備える。【選択図】図２
2018001854.tif 000002
【特許請求の範囲】
【請求項１】
車両内に設けられる収納ボックスであって、
底板と、対向する少なくとも一対の側壁とで構成される収納凹部を備え、
前記各側壁は、前記底板の外縁部に一体に形成される内壁部と、前記内壁部の上端に一体に形成され、前記内壁部の外側を覆う外壁部とを備え、
さらに、一方の前記内壁部と前記底板とに一体に形成される一側段部と、他方の前記内壁部と前記底板とに一体に形成され、前記一側段部と同一高さを有する他側段部とを備える収納ボックス。
【発明の詳細な説明】
【技術分野】
【０００１】
本発明は、底板と側壁とで構成される収納凹部を備える収納ボックスに関する。
【背景技術】
【０００２】
運転席と助手席の間が狭い小型車両では、携帯電話やティッシュボックスなどの物品を収納する収納ボックスの収納凹部の幅に制限がある。例えば、特許文献１には、ティッシュボックスをティッシュの取り出し口を車幅方向に向けた状態で収納する収納ボックスが開示されている。
【先行技術文献】
【特許文献】
【０００３】
【特許文献１】特開２０１１−８４１４９号公報
【発明の概要】
【発明が解決しようとする課題】
【０００４】
収納凹部の幅を大きくするには、収納凹部を構成する側壁を薄くする必要がある。収納凹部を構成する側壁は、通常、意匠性を備える外壁部と、収納凹部の内側面を構成する内壁部とで構成される。しかし、内壁部と外壁部とを薄くしたり、内壁部と外壁部との間隔を小さくしたりして側壁を薄くすれば、側壁の強度が不足するといった問題や、収納ボックスを製造する金型から側壁を抜き難くなるといった問題がある。このような問題は、収納凹部の幅を大きくすることに加えて、収納凹部の深さを大きくすると、より顕著となる。
【０００５】
本発明は、上記事情に鑑みてなされたものであり、その目的の一つは、収納凹部の深さを大きくして収納容量を確保しつつ、側壁を薄くすることができる形状を備える収納ボックスを提供することにある。
【課題を解決するための手段】
【０００６】
本発明の一態様に係る収納ボックスは、車両内に設けられる収納ボックスであって、底板と、対向する少なくとも一対の側壁とで構成される収納凹部を備え、前記各側壁は、前記底板の外縁部に一体に形成される内壁部と、前記内壁部の上端に一体に形成され、前記内壁部の外側を覆う外壁部とを備える。この収納ボックスはさらに、一方の前記内壁部と前記底板とに一体に形成される一側段部と、他方の前記内壁部と前記底板とに一体に形成され、前記一側段部と同一高さを有する他側段部とを備える。
【発明の効果】
【０００７】
上記構成によれば、内壁部と外壁部との間隔を小さくすることで側壁を従来よりも薄くすることができ、収納凹部の幅を従来よりも大きくすることができる。側壁の内壁部と底板とに一体に形成される一側段部と他側段部が各側壁を補強し、側壁の強度を向上させるからである。また、内壁部の一部に段部があることで金型から側壁を抜き易くなるため、内壁部と外壁部の間隔を小さくしても収納凹部を深くすることができる。
【０００８】
上記構成によれば、段部の上端面よりも上側の部分と下側の部分とで別々の物品を収納凹部に収納できる。例えば、段部の上にティッシュボックスを乗せ、ティッシュボックスの下側に携帯電話などを収納することができる。ここで、側壁を薄くして収納凹部の幅を大きくすれば、ティッシュボックスの取り出し口を上方に向けた状態でティッシュボックスを収納凹部に収納することができる。
【０００９】
上記収納ボックスは、生産性良く製造することができる。収納ボックス全体が一体に形成されているため、１回の樹脂成形で収納ボックスを製造することができるからである。また、一体に形成された収納ボックスは、その組立作業が不要で、分解などの心配がないため扱い易く、車室内に取り付け易い。
【図面の簡単な説明】
【００１０】
【図１】車室内をバックシート側から見た概略図である。
【図２】実施形態に係る収納ボックスの概略斜視図である。
【図３】実施形態に係る収納ボックスの概略上面図である。
【図４】実施形態に係る収納ボックスとその周辺の縦断面図である。
【図５】図３のＶ−Ｖ断面図である。
【図６】図３のＶＩ−ＶＩ断面図である。
【発明を実施するための形態】
【００１１】
以下、図面を参照して、実施形態に係る車両内部構造を具体的に説明する。なお、本発明は、これらの例示に限定されず、特許請求の範囲によって示され、特許請求の範囲と均等の意味および範囲内でのすべての変更が含まれることが意図される。
【００１２】
＜実施形態１＞
≪全体構成≫
実施形態１では、図１に示すように、車幅方向の位置が運転席６と助手席７との間の位置で、車長方向の位置がインストルメントパネル８の下側の位置に設けた収納ボックス１を説明する。収納ボックス１は、フロアパネル上に固定される。以下、収納ボックス１の構成を詳細に説明する。以降の説明で参照する図面では、四角で囲った『ＦＲ』を付した矢印で車両前方を示す。
【００１３】
収納ボックス１は、図２，図３に示すように、底板２と側壁３とで構成される収納凹部４を備える。この収納ボックス１はさらに、後述する一側段部４１と他側段部４２とを備えている。これら底板２と側壁３と段部４１，４２とは、繋ぎ目無く一体に形成されている。このような収納ボックス１は、金型を用いた樹脂成形によって製造することができる。
【００１４】
≪底板≫
底板２は、その車両前方側に、他の部分よりも高くなった前方段部２０を備える。前方段部２０は、図４に示すようにインストルメントパネル８の鉛直下方の位置に配置されている。
【００１５】
また底板２は、その車長方向中間よりもやや前方側および車長方向後方側に、収納ボックス１を車両のフロアパネルに固定するための固定部２１を備える。本例の固定部２１は、ネジ止めのための台座であって、図４の縦断面図に示すように車両前方側の固定部２１は、車両前方側に向って斜めになっている。これは、収納ボックス１の上方にインストルメントパネル８があっても、固定部２１にネジを止め易くするためである。
【００１６】
≪側壁≫
側壁３は、底板２の外縁部のうち、車両前方側以外の三方を覆うように形成されている。三つの側壁３は繋ぎ目無く一体に形成されている。図示する例とは異なり、側壁３が、底板２の外縁部の四方を覆うように形成することもできる。各側壁３は、底板２の外縁部に一体に形成される内壁部３Ａと、内壁部３Ａの上端に一体に形成される外壁部３Ｂとを備える。外壁部３Ｂは、内壁部３Ａの外側を覆っており、従って図５に示すように側壁３の横断面は、略逆Ｕ字状になっている。
【００１７】
図５，図６の横断面図に示すように、収納ボックス１は、フロアパネル９のカーペット９０上に配置されるため、その幅には制約がある。従って、収納凹部４の幅を大きくするには、図５に示す側壁３を構成する内壁部３Ａと外壁部３Ｂとを薄くしたり、両壁部３Ａ，３Ｂの間隔を小さくする必要がある。
【００１８】
壁部３Ａ，３Ｂの厚さは、１．５ｍｍ以上３．０ｍｍ以下とすることが好ましく、１．８ｍｍ以上２．５ｍｍ以下がより好ましい（本例では２ｍｍ）。なお、底板２の厚さも、壁部３Ａ，３Ｂと同程度の厚さとすることが好ましい。
【００１９】
一方、壁部３Ａ，３Ｂの間隔は、１０ｍｍ以上１５ｍｍ以下とすることが好ましい。間隔を１２ｍｍ以上とすることで、この間隔を形成する金型の一部が薄くなり過ぎることを抑制できる。
【００２０】
内壁部３Ａの高さは、３５ｍｍ以上４５ｍｍ以下とすることが好ましい。内壁部３Ａの高さは即ち、収納凹部４の深さに等しく、当該高さを４０ｍｍ以上とすることで、例えば収納凹部４にティッシュボックスを乗せたときに、運転時の振動などによってティッシュボックスが収納凹部４から飛び出すことを抑制できる。
【００２１】
ここで、底板２と同一高さにおける壁部３Ａ，３Ｂの間隔をＬ１と、底板２から側壁３の最奥部（内壁部３Ａと外壁部３Ｂとの境界）までの長さをＬ２としたとき、Ｌ１／Ｌ２≦１／３であると、側壁３の最奥部から金型を抜くことが非常に難しくなる。しかし、本例ではＬ１／Ｌ２＝３／１０となっている。Ｌ１，Ｌ２をこのような比率とできるのは、後述するように、収納凹部４の内部に一側段部４１と他側段部４２が形成されているからである。
【００２２】
≪一側段部および他側段部≫
図２，図３に示すように、一側段部４１，４１は、車両の左方側に配置される内壁部３Ａと底板２とに繋ぎ目無く一体に形成され、他側段部４２，４２は、車両の右方側に配置される内壁部３Ａと底板２とに繋ぎ目無く一体に形成されている。これら４つの段部４１，４２の配置は、その上に何を乗せるかによって適宜選択することができる。本例では、図６に示すように段部４１，４２の上方にティッシュボックス５Ｔを保持できるようにするために、図２，図３に示すように４つの段部４１，４２の配置が決定されている。段部４１，４１同士（段部４２，４２同士）の車長方向の配置間隔は、図４のインストルメントパネル８と側壁３との間でティッシュボックス５Ｔが車長方向にずれても、ティッシュボックス５Ｔが段部４１，４２から落ちないように設定されている。
【００２３】
段部４１，４２の高さは、底板２の前方段部２０と同じ高さとなっており、その高さは段部４１，４２の上端よりも下の空間に何を収納するかによって適宜選択することができる。例えば、段部４１，４２の高さは、１５ｍｍ以上２５ｍｍ以下、例えば２０ｍｍとすることが好ましい。
【００２４】
ここで、一側段部４１（他側段部４２）の数は、特に限定されない。例えば、一側段部４１（他側段部４２）は、一つでも良いし、３つ以上であっても構わない。一側段部４１（他側段部４２）を一つとする場合、段部４１，４２上の物品の安定性を考慮し、段部４１，４２の上端面の幅（車長方向の長さ）を長くすることが好ましい。
【００２５】
上記一側段部４１と他側段部４２は、図６の横断面図に示すように、内壁部３Ａの下方側の部分を収納凹部４の中央側に張り出させたような形状となっている。そのため、一側段部４１（他側段部４２）と外壁部３Ｂとの間隔が十分に大きく、また一側段部４１（他側段部４Ｒ）よりも上方における内壁部３Ａと外壁部３Ｂとの間隔が小さくなっている部分が短い。具体的には、一側段部４１（他側段部４２）の上端面と同一高さにおける壁部３Ａ，３Ｂの間隔をＬ３と、上端面から側壁３の最奥部までの長さをＬ４としたとき、Ｌ３／Ｌ４＝１／２＞１／３となっている。Ｌ３／Ｌ４＞１／３となっていれば、側壁３の最奥部から金型を抜くときに、側壁３に割れなどが生じ難くなる。このように、壁部３の少なくとも一部において側壁３の最奥部から金型が抜け易くなっていれば、その影響で図５に示すようなＬ１／Ｌ２≦１／３となっている部分でも側壁３の最奥部から金型が抜け易くなる。
【００２６】
≪使用態様≫
以上説明した収納ボックス１は、図４に示すように、段部４１，４２の上にティッシュボックス５Ｔ（二点鎖線参照）を乗せることができる。本例の収納ボックス１では、図５，図６に示すように両壁部３Ａ，３Ｂの間隔が短くなっている、即ち側壁３が薄く形成されているため、収納凹部４の幅が大きい。そのため、収納ボックス１の収納凹部４に、取り出し口を上方に向けた状態でティッシュボックス５Ｔを収納させることができる。また、収納凹部４の深さが十分に深くなっているため、振動によってティッシュボックス５Ｔが収納ボックス１から飛び出すことを抑制できる。ここで、ティッシュボックス５Ｔの車両前方への飛び出しは、インストルメントパネル８により抑制される。
【００２７】
ティッシュボックス５Ｔの下方には、段部４１，４２の高さ分だけ物品を収納できる下段スペースがある。本例ではこの下段スペースに携帯電話５Ｃを収納している。携帯電話５Ｃはティッシュボックス５Ｔによって外部から見え難くなっているため、携帯電話５Ｃを車内に置き忘れても、車上荒らしの被害に遭い難い。また、本例の構成では、ティッシュボックス５Ｔの車両前方側の端部と前方段部２０との間に隙間があるため（図４）、インストルメントパネル８から伸ばした電源コード（図示せず）を当該隙間から下段スペースに入れ、携帯電話５Ｃに繋ぐことができる。電源コードは車両前方側に取り回され、ティッシュボックス５Ｔで隠されるため、目立たない。
【００２８】
ここで、本実施形態の収納ボックス１は、後部座席の位置や荷室内に設けても構わない。その場合、収納ボックス１を設置する向きは特に限定されない。例えば、収納ボックス１の長尺方向が、車両の左右方向に向いていても構わない。
【符号の説明】
【００２９】
１  収納ボックス
２  底板  ２０  前方段部  ２１  固定部
３  側壁  ３Ａ  内壁部  ３Ｂ  外壁部
４  収納凹部
４１  一側段部  ４２  他側段部
５Ｔ  ティッシュボックス  ５Ｃ  携帯電話
６  運転席
７  助手席
８  インストルメントパネル
９  フロアパネル  ９０  カーペット
【図１】
2018001854.tif 000003
【図２】
2018001854.tif 000004
【図３】
2018001854.tif 000005
【図４】
2018001854.tif 000006
【図５】
2018001854.tif 000007
【図６】
2018001854.tif 000008